(57)【特許請求の範囲】
【請求項１】
版胴とブランケット胴とインキング機構とを有する複数の印刷装置を順次経由させて各印刷装置のブランケット胴のブランケットに接触可能に連続紙を紙通しし、各印刷装置においてインキング機構から版胴の刷版に供給したインキをブランケット面を介して前記連続紙に印刷するオフセット輪転印刷ユニットを備えたオフセット輪転機によってブランケット面検査用印刷面を印刷する方法において、
オフセット輪転機を予め定めた速度で動作させるとともにインキング機構によって版胴の刷版の全面にほぼ均一にインキを供給するステップと、
前記複数の印刷装置が前記連続紙の走行方向に沿った異なる位置に前記刷版全面のインキをブランケット面を介してベタの状態に印刷するステップと、
を有し、
前記印刷するステップにおける印刷装置の印刷の開始から終了に至る動作のタイミングを、連続紙の走行方向に相前後する印刷装置の前記連続紙がブランケットに接触する位置の間隔、ブランケットを備えたブランケット胴の周面長、前記相前後する印刷装置によるベタの印刷部の長さ、当該ベタの印刷部間に設ける空白部の長さ、相前後する印刷装置それぞれにおける、印刷動作時のブランケット胴におけるブランケットと刷版とが接触する位置からブランケットと連続紙とが接触する位置までの回転方向に沿った周面長及び前記予め定めた輪転機の動作速度から求められる結果にしたがって決定する
ことを特徴とするブランケット面検査用印刷面を印刷する方法。
【請求項２】
請求項１記載のブランケット面検査用印刷面を印刷する方法において、
連続紙の走行方向に相前後する印刷装置の前記連続紙がブランケットに接触する位置の間隔をＰmn、ブランケットを備えたブランケット胴の周面長をＬb、各ベタの印刷部の長さをＬi、相前後する印刷装置の印刷部の間に設ける空白部の長さをＬwとし、更に、連続紙の走行方向に相前後する印刷装置の走行方向の上流側に位置する印刷装置の、印刷作動時のブランケット胴ＢＣにおけるブランケットＰＢと刷版ＰＰとが接触する位置からブランケットＰＢと連続紙Ｗとが接触する位置までの回転方向に沿った周面長Ｌm、連続紙の走行経路で相前後する印刷装置の走行方向の下流側に位置する印刷装置の、印刷作動時のブランケット胴ＢＣにおけるブランケットＰＢと刷版ＰＰとが接触する位置からブランケットＰＢと連続紙Ｗとが接触する位置までの回転方向に沿った周面長Ｌnとしたときに、Ｌi≧Ｌbを満たしたうえで、
(Ｐmn＋Ｌm−Ｌn)−(Ｌi＋Ｌw)＜０
の関係にあるときは連続紙の走行方向の下流側に位置する印刷装置による印刷動作を先行開始させ、
(Ｐmn＋Ｌm−Ｌn)−(Ｌi＋Ｌw)＞０
の関係にあるときは連続紙の走行方向の上流側に位置する印刷装置による印刷動作を先行開始させるか相前後する印刷装置による印刷動作を同時に開始させ、
(Ｐmn＋Ｌm−Ｌn)−(Ｌi＋Ｌw)＝０
の関係にあるときは連続紙の走行方向に相前後する印刷装置による印刷動作を同時に開始させる
ことを特徴とするブランケット面検査用印刷面を印刷する方法。
【請求項３】
請求項１記載のブランケット面検査用印刷面を印刷する方法において、
連続紙の走行方向に相前後する印刷装置の前記連続紙がブランケットに接触する位置の間隔をＰmn、ブランケットを備えたブランケット胴の周面長をＬb、全面ベタの印刷部の長さをＬi、相前後する印刷装置の印刷部の間に設ける空白部の長さをＬwとし、予め定めた輪転機の動作速度をＳとし、更に、連続紙の走行方向に相前後する印刷装置の走行方向の上流側に位置する印刷装置の、印刷作動時のブランケット胴ＢＣにおけるブランケットＰＢと刷版ＰＰとが接触する位置からブランケットＰＢと連続紙Ｗとが接触する位置までの回転方向に沿った周面長Ｌm、連続紙の走行経路で相前後する印刷装置の走行方向の下流側に位置する印刷装置の、印刷作動時のブランケット胴ＢＣにおけるブランケットＰＢと刷版ＰＰとが接触する位置からブランケットＰＢと連続紙Ｗとが接触する位置までの回転方向に沿った周面長Ｌnとしたときに、Ｌi≧Ｌbを満たしたうえで、
(Ｐmn＋Ｌm−Ｌn)−(Ｌi＋Ｌw)＜０
の関係にあるときは，連続紙の走行方向の下流側に位置する印刷装置による印刷動作を上流側に位置する印刷装置による印刷動作より時間的に
|(Ｐmn＋Ｌm−Ｌn)−(Ｌi＋Ｌw)|/Ｓ
だけ先行開始させ、
(Ｐmn＋Ｌm−Ｌn)−(Ｌi＋Ｌw)＞０
の関係にあるときは、連続紙の走行方向の上流側に位置する印刷装置による印刷動作を下流側に位置する印刷装置による印刷動作より時間的に
|(Ｐmn＋Ｌm−Ｌn)−(Ｌi＋Ｌw)|/Ｓ
だけ先行開始させるか相前後する印刷装置による印刷動作を同時に開始させ、
(Ｐmn＋Ｌm−Ｌn)−(Ｌi＋Ｌw)＝０
の関係にあるときは連続紙の走行方向に相前後する印刷装置による印刷動作を同時に開始させる
ことを特徴とするブランケット面検査用印刷面を印刷する方法。
【請求項４】
請求項１乃至請求項３記載のブランケット面検査用印刷面を印刷する方法において、
印刷動作を開始した印刷装置の印刷動作を、上流側に位置する印刷装置においては、当該印刷装置による印刷動作を開始した後
(Ｌi＋Ｌm )/Ｓ
だけ時間経過後に、下流側に位置する印刷装置においては、
当該印刷装置による印刷動作を開始した後
(Ｌi＋Ｌn )/Ｓ
だけ時間経過後に、それぞれ終了させる
ことを特徴とするブランケット面検査用印刷面を印刷する方法。
【請求項５】
版胴とブランケット胴とインキング機構を有する複数の印刷装置を順次経由させて各印刷装置のブランケット胴のブランケットに接触可能に連続紙を紙通しし、各印刷装置においてインキング機構から版胴の刷版に供給したインキをブランケット面を介して前記連続紙に印刷するオフセット輪転印刷ユニットを備えたオフセット輪転機において、
オフセット輪転機を予め定めた速度で動作させるとともにインキング機構によって版胴の刷版の全面にほぼ均一にインキを供給する手段と、
前記複数の印刷装置が前記連続紙の走行方向に沿った異なる位置に前記刷版全面のインキをブランケット面を介してベタの状態に印刷する手段と、
を有し、
前記印刷する手段における印刷装置の印刷の開始から終了に至る動作のタイミングを、連続紙の走行方向に相前後する印刷装置の前記連続紙がブランケットに接触する位置の間隔、ブランケットを備えたブランケット胴の周面長、前記相前後する印刷装置によるベタの印刷部の長さ、当該ベタの印刷部間に設ける空白部の長さ、相前後する印刷装置それぞれにおける、印刷動作時のブランケット胴におけるブランケットと刷版とが接触する位置からブランケットと連続紙とが接触する位置までの回転方向に沿った周面長及び前記予め定めた輪転機の動作速度から求められる結果にしたがって決定するようにして、
ブランケット面検査用印刷面の印刷を行うように輪転機を自動運転させる制御装置を備えた
ことを特徴とする、オフセット輪転機。
【請求項６】
版胴とブランケット胴とインキング機構を有する複数の印刷装置を順次経由させて各印刷装置のブランケット胴のブランケットに接触可能に連続紙を紙通しし、各印刷装置においてインキング機構から版胴の刷版に供給したインキをブランケット面を介して前記連続紙に印刷するオフセット輪転印刷ユニットを備えたオフセット輪転機において、
オフセット輪転機を予め定めた速度で動作させるとともにインキング機構によって版胴の刷版の全面にほぼ均一にインキを供給する手段と、
前記複数の印刷装置が前記連続紙の走行方向に沿った異なる位置に前記刷版全面のインキをブランケット面を介してベタの状態に印刷する手段と、
を有し、
連続紙の走行方向に相前後する印刷装置の前記連続紙がブランケットに接触する位置の間隔をＰmn、ブランケットを備えたブランケット胴の周面長をＬb、各ベタの印刷部の長さをＬi、相前後する印刷装置の印刷部の間に設ける空白部の長さをＬwとし、更に、連続紙の走行方向に相前後する印刷装置の走行方向の上流側に位置する印刷装置の、印刷作動時のブランケット胴ＢＣにおけるブランケットＰＢと刷版ＰＰとが接触する位置からブランケットＰＢと連続紙Ｗとが接触する位置までの回転方向に沿った周面長Ｌm、連続紙の走行経路で相前後する印刷装置の走行方向の下流側に位置する印刷装置の、印刷作動時のブランケット胴ＢＣにおけるブランケットＰＢと刷版ＰＰとが接触する位置からブランケットＰＢと連続紙Ｗとが接触する位置までの回転方向に沿った周面長Ｌnとしたときに、Ｌi≧Ｌbを満たしたうえで、
(Ｐmn＋Ｌm−Ｌn)−(Ｌi＋Ｌw)＜０
の関係にあるときは連続紙の走行方向の下流側に位置する印刷装置による印刷動作を先行開始させ、
(Ｐmn＋Ｌm−Ｌn)−(Ｌi＋Ｌw)＞０
の関係にあるときは連続紙の走行方向の上流側に位置する印刷装置による印刷動作を先行開始させるか相前後する印刷装置による印刷動作を同時に開始させ、
(Ｐmn＋Ｌm−Ｌn)−(Ｌi＋Ｌw)＝０
の関係にあるときは連続紙の走行方向に相前後する印刷装置による印刷動作を同時に開始させるようにして、
ブランケット面検査用印刷面の印刷を行うように輪転機を自動運転させる制御装置を備えた
ことを特徴とする、オフセット輪転機。
【請求項７】
版胴とブランケット胴とインキング機構を有する複数の印刷装置を順次経由させて各印刷装置のブランケット胴のブランケットに接触可能に連続紙を紙通しし、各印刷装置においてインキング機構から版胴の刷版に供給したインキをブランケット面を介して前記連続紙に印刷するオフセット輪転印刷ユニットを備えたオフセット輪転機において、
オフセット輪転機を予め定めた速度で動作させるとともにインキング機構によって版胴の刷版の全面にほぼ均一にインキを供給する手段と、
前記複数の印刷装置が前記連続紙の走行方向に沿った異なる位置に前記刷版全面のインキをブランケット面を介してベタの状態に印刷する手段と、
を有し、
連続紙の走行方向に相前後する印刷装置の前記連続紙がブランケット面に接触する位置の間隔をＰmn、ブランケットを備えたブランケット胴の周面長をＬb、全面ベタの印刷部の長さをＬi、相前後する印刷装置の印刷部の間に設ける空白部の長さをＬwとし、予め定めた輪転機の動作速度をＳとし、更に、連続紙の走行方向に相前後する印刷装置の走行方向の上流側に位置する印刷装置の、印刷作動時のブランケット胴ＢＣにおけるブランケットＰＢと刷版ＰＰとが接触する位置からブランケットＰＢと連続紙Ｗとが接触する位置までの回転方向に沿った周面長Ｌm、連続紙の走行経路で相前後する印刷装置の走行方向の下流側に位置する印刷装置の、印刷作動時のブランケット胴ＢＣにおけるブランケットＰＢと刷版ＰＰとが接触する位置からブランケットＰＢと連続紙Ｗとが接触する位置までの回転方向に沿った周面長Ｌnとしたときに、Ｌi≧Ｌbを満たしたうえで、
(Ｐmn＋Ｌm−Ｌn)−(Ｌi＋Ｌw)＜０
の関係にあるときは，連続紙の走行方向の下流側に位置する印刷装置による印刷動作を上流側に位置する印刷装置による印刷動作より時間的に
|(Ｐmn＋Ｌm−Ｌn)−(Ｌi＋Ｌw)|/Ｓ
だけ先行開始させ、
(Ｐmn＋Ｌm−Ｌn)−(Ｌi＋Ｌw)＞０
の関係にあるときは、連続紙の走行方向の上流側に位置する印刷装置による印刷動作を下流側に位置する印刷装置による印刷動作より時間的に
|(Ｐmn＋Ｌm−Ｌn)−(Ｌi＋Ｌw)|/Ｓ
だけ先行開始させるか相前後する印刷装置による印刷動作を同時に開始させ、
(Ｐmn＋Ｌm−Ｌn)−(Ｌi＋Ｌw)＝０
の関係にあるときは連続紙の走行方向に相前後する印刷装置による印刷動作を同時に開始させるようにして、
ブランケット面検査用印刷面の印刷を行うように輪転機を自動運転させる制御装置を備えた
ことを特徴とする、オフセット輪転機。
【請求項８】
請求項５乃至請求項７記載の制御装置が、
印刷動作を開始した印刷装置の印刷動作を、上流側に位置する印刷装置においては、当該印刷装置による印刷動作を開始した後
(Ｌi＋Ｌm )/Ｓ
だけ時間経過後に、下流側に位置する印刷装置においては、
当該印刷装置による印刷動作を開始した後
(Ｌi＋Ｌn )/Ｓ
だけ時間経過後に、それぞれ終了させるようにされてなる
ことを特徴とする、オフセット輪転機。
【請求項９】
版胴とブランケット胴とインキング機構を有する複数の印刷装置を順次経由させて各印刷装置のブランケット胴のブランケットに接触可能に連続紙を紙通しし、各印刷装置においてインキング機構から版胴の刷版に供給したインキをブランケット面を介して前記連続紙に印刷するオフセット輪転印刷ユニットを備えたオフセット輪転機の制御用コンピューターにおいて実行可能な制御プログラムであって、
上記コンピューターにおいて実行されることにより、請求項１乃至請求項４の何れかの項に記載の方法にてブランケット面検査用印刷面の印刷を行うように輪転機を自動運転させることを特徴とする、オフセット輪転機の制御プログラム。
【発明の詳細な説明】
【技術分野】
【０００１】
この発明は、版胴とブランケット胴とインキング機構を有する複数の印刷装置を順次経由させて各印刷装置のブランケット胴のブランケットに接触可能に連続紙を紙通しし、各印刷装置においてインキング機構から版胴の刷版に供給したインキをブランケット面を介して前記連続紙に印刷するオフセット輪転印刷ユニットを備えたオフセット輪転機によってブランケット面検査用印刷面を印刷する方法、この方法を行わせる制御装置を備えた輪転機、この方法を行わせるよう輪転機を制御するプログラムに関する。
【背景技術】
【０００２】
オフセット印刷は、版胴周面の刷版の画線部にインキを供給し、ブランケット胴のブランケット面を介して、このブランケット面に接触させられた紙面に印刷するようにした印刷であるため、ブランケット面の状態の良否が印刷面の品質の良し悪しに大きく影響する。したがって、
(i)使用度合が使用時間や印刷数に基づいて予め定めた基準を超えたブランケットや、
(ii)交換したての新しいブランケットの表面状態、あるいは、トラブル後のブランケットの表面状態、例えば印刷運転中に断紙した連続紙が巻き付いた表面状態を持つブランケットや、
(iii)ブランケット胴と版胴との間若しくはブランケット胴と圧胴等のバックアップ胴との間に異物を挟み込んだブランケットなどの、表面状態を確認することは、印刷品質を良好に保つために極めて重要である。そして、このブランケットの表面状態を確認する方法として、版胴周面の刷版の全面に略均一にインキを供給し、これをブランケット面を介して連続紙にベタの状態に印刷し、即ち連続紙上にいわば真黒に印刷し、このベタの印刷部の濃度むらや印刷抜けがあるか否かを観察して、ブランケット面の状態を検査することが行われている。つまり、刷版全面をベタの状態にして印刷した印刷結果がブランケット面検査用印刷面として利用されている。
【０００３】
上述したブランケット面検査印刷面を効率よく印刷させるようにした手段について開示した特許文献は見出せなかった。
【発明の開示】
【発明が解決しようとする課題】
【０００４】
ところで、前記ブランケット面検査用印刷面の印刷に当っては、ブランケット胴ごとの夫々のベタの印刷部が、互いに重ならない状態で印刷されている状態でのブランケット胴の１回転分の長さだけあれば足りる。しかしながら、これまではこのブランケット面検査用印刷面の印刷を、ブランケット胴ごとに作業者がマニュアル操作により行っていたため、特に連続紙を使用する輪転機では、ベタの印刷部の長さが必要以上に長くなることが多々有り、また、連続紙を複数の印刷装置に順次経由させて印刷する多色刷輪転機では、印刷装置ごとにブランケット面検査用印刷面の印刷を行う際、印刷装置ごとの印刷部が重なってしまうことを嫌うあまり、各印刷装置による相前後する印刷部同士の間隔が必要以上に広くなりがちで、連続紙の浪費が生じていた。また、このブランケット面検査用印刷面の印刷作業は、煩雑であるばかりでなく、輪転機を低速動作させて行うため比較的長時間を要し、作業者を拘束するとともに多くの作業工数を必要とていた。
【０００５】
この発明は、煩雑なブランケット面検査用印刷面の印刷作業から作業者を解放するとともに、この作業によって生じていた連続紙の浪費を防止することを目的としている。
【課題を解決するための手段】
【０００６】
図１はこの発明の原理的構成を説明する図である。
【０００７】
より詳細には後述されるが、図１において、
（１）  HP1とHP２とは夫々オフセット印刷装置である。図中Pmnは、オフセット印刷装置間距離である。
（２）  BCはブランケット胴であり、ブランケット胴BCの周囲面に設けたブランケットPBの全面にインキが供給され、当該インキの供給されたブランケットPBによって連続紙W上にベタ印刷が行われる。図示の例えば「HP2によるベタ印刷部」は、連続紙Wにベタ印刷されるブランケット面検査用の印刷面の存在部分を表わしている。
（３）  PCは版胴であり、版胴PCの周囲面に対応する刷版PPに対して、図示していないインキング機構によってインキが供給され、当該インキが供給された刷版PPが所定のタイミングの下でブランケット胴BC（更に言えば、ブランケットPB）と接触され、ブランケット胴BCの回転につれて、ブランケット面の検査のためにブランケットPBの全面にインキが供給される。
【０００８】
説明を容易にするために、図１において、（i）ブランケット胴BCの全周面にブランケットPBが存在するものとし、（ii）ブランケット胴BCの全周長（周面長Lｂ）が単位長L0の８倍となっているものとし、（iii）例えばオフセット印刷ユニットHP2においては、印刷動作時において、ブランケット胴BCにおけるブランケットＰＢと版胴PCの刷版ＰＰとが接触する位置からインキが供給されたブランケットPBが連続紙Wと接触する位置までの回転方向に沿った周面長Lｎについて、当該周面長Lｎが単位長L0の５倍となっているものとしている。
【０００９】
オフセット印刷ユニットHP１とオフセット印刷ユニットHP2とで同じタイミングにおいて、版胴ＰＣがブランケット胴ＢＣと接触されたとすると、図示の「ベタ印刷部」に夫々「ブランケット面検査用印刷面」が印刷された形で残ることになる。これらの「ベタ印刷部」の長さをLiとし、当該「ベタ印刷部」の間の空白部の長さをLwとしている。
【００１０】
図示のように「HP１によるベタ印刷部」と「HP2によるベタ印刷部」との状態、即ち、全面に正しくベタ印刷が行われているか否かを調べて、ブランケットの表面状態がチエックされる。
【００１１】
このように当該チエックが行われるのであるが、図１に示す「ベタ印刷部」の間の空白部の長さLｗがいわば零になるようにすることが、連続紙Wのムダをなくす上で好ましいことである。
【００１２】
この発明では、上記Lｗが好ましいレベルに保たれるように制御している。
【００１３】
この発明は、特許請求の範囲に記載された構成によって前記目的を達成しようとするものである。
【発明の効果】
【００１４】
請求項に記載の本願発明によれば、ブランケット面検査用印刷面を印刷する際に、印刷するステップにおける印刷装置の印刷の開始から終了に至る動作を、
(i)連続紙の走行経路で相前後する印刷装置の、連続紙がブランケットに接触する位置（つまり、印刷位置）の間隔Ｐmn、
(ii)ブランケットを備えたブランケット胴の周面長Ｌb、
(iii)前記相前後する印刷装置による全面ベタの印刷部の長さＬi、
(iv)当該相前後する印刷装置による全面ベタの印刷部間に設ける空白部の長さＬw、
(v)相前後する印刷装置それぞれにおける、印刷動作時のブランケット胴におけるブランケットと刷版が接触する位置からブランケットと連続紙が接触する位置までの回転方向に沿った周面長Ｌn、
(vi)予め定めた輪転機の動作速度Ｓ
に基づいて得た結果にしたがって行わせるので、ブランケット面検査用印刷面の印刷作業によって生じていた連続紙の浪費を防止することができる。
【００１５】
また、請求項５乃至請求項９に記載の発明によれば、前記連続紙の浪費を防止することができるとともに、煩雑なブランケット面検査用印刷面の印刷作業から作業者を解放することができ、作業工数の削減をもなし得る。
【発明を実施するための最良の形態】
【００１６】
次に、本願発明の実施の形態について、図面を参照しながら説明する。
【００１７】
図２は、この発明に係る方法にてブランケット面検査用印刷面の印刷を行うように自動運転する制御装置を備えたオフセット輪転機の概略構成図であり、図３（A),(B)は、上下に一体となって存在する図であって図２に示したオフセット輪転機にブランケット面検査用印刷面の印刷を自動運転させたときのタイムチャートで、塗りつぶしにより各胴がベタの印刷部を印刷するタイミングを示した図である。
【００１８】
図３（A）と同じ図３（B)とは共に、横軸は時間（秒）であり、図３（A)はHタイプユニットの印刷装置での印刷動作とインキング機構でのインキング動作を表わし、図３（B)はアーチタイプユニットの印刷装置での印刷動作とインキング機構でのインキング動作を表わしている。
【００１９】
図４は、図２に示した輪転機の２基の印刷ユニットのうち、ＨタイプユニットＨＰにおいて、『紙の進行方向』に連続する連続紙ＨＷに、図３（A）のタイムチャート中に示す印刷動作時間０乃至１８秒の間に、各胴で行われるブランケット面検査用印刷面の印刷状況を示し、連続紙ＨＷの表面にベタの印刷部ＨＢ１、ＨＢ２、ＨＢ３、ＨＢ４が印刷される状態を図中右側から左側に１秒経過ごとに示す模式図であり、図５は、図２に示した輪転機の２基の印刷ユニットのうち、アーチタイプユニットＡＰにおいて、『紙の進行方向』に連続する連続紙ＡＷに、図３(B)のタイムチャート中に示す印刷動作時間０乃至１８秒の間に、各胴で行われるブランケット面検査用印刷面の印刷状況を示し、連続紙ＡＷの表面にベタの印刷部ＡＢ１、ＡＢ２、ＡＢ３、ＡＢ４が印刷される状態を図中右側から左側に１秒経過ごとに示す模式図である。なお、図４と図５とに示す横軸の時間経過は、図の右から左に向うように表わされていて、図３ (A) および図３(B)の場合の時間経過は図３ (A) および図３(B)の左から右に向うように表わされている。
【００２０】
本願発明は、例えば図２に示すような、給紙ユニットＳＵからオフセット印刷ユニットＰＵを経由して折ユニットＦＵまで連続紙Ｗを紙通しして印刷する輪転機ＲＰの、前記オフセット印刷ユニットＰＵにおいて行われる。
【００２１】
オフセット印刷ユニットＰＵとしては、例えば図２に示すような所謂タワー型の多色印刷ユニットがよく知られている。この２基のタワー型オフセット印刷ユニットＰＵ（ＨＰ及びＡＰ）は印刷装置として、版胴ＰＣとブランケット胴ＢＣとからなる印刷カップルが２つ、前記連続紙Ｗ（ＨＷ及びＡＷ）を挟んでそれぞれのブランケット胴ＢＣの周面に設けたブランケットＰＢが連続紙Ｗ（ＨＷ及びＡＷ）に配され、接触可能に設けられるとともに、各印刷カップルの版胴ＰＣに対応させてこの版胴ＰＣの刷版ＰＰにインキを供給するインキング機構（図示せず）が設けられている。そして、この印刷装置が、連続紙Ｗの走行方向に沿って複数（図示では第１印刷装置Ｐ１、第２印刷装置Ｐ２、第３印刷装置Ｐ３、第４印刷装置Ｐ４の４つ）配して設けられている。そしてインキング機構によって版胴ＰＣの刷版ＰＰの画線部にインキを供給し、このインキをブランケット胴ＢＣのブランケットＰＢの表面を介して連続紙Ｗに印刷するようにしている。
【００２２】
本願発明のブランケット面検査用印刷面の印刷は、当該オフセット印刷ユニットＰＵにおいて、まず、オフセット印刷ユニットＰＵを起動し、インキング機構を構成する各ローラーの周面にインキをいきわたらせた後停止する。なお、印刷稼働後等、インキング機構を構成する各ローラーの周面にインキがいきわたっている状態のときには、当該ステップを省略して差し支えない。次いで、当該オフセット印刷ユニットＰＵを経由させて連続紙Ｗを紙通しする。
【００２３】
紙通しが終了した後、輪転機運転のＯＮ操作をし、オフセット印刷ユニットＰＵを予め定めた速度で動作させる。前記予め定めた速度は、例えば寸動であり、また、このオフセット印刷ユニットＰＵが少なくとも印刷装置ごとに個別に駆動可能なものであるときには、各印刷装置の版胴ＰＣ及びブランケット胴ＢＣの回転位相が予め定められた正しい関係に制御される同期制御が可能な速度に定められる。なお、図示の実施の形態では、後記する説明を解りやすくするために、1秒間に版胴ＰＣ 及びブランケット胴ＢＣがそれぞれ８分の１周だけ回転する速度としている。
【００２４】
オフセット印刷ユニットＰＵが前記予め定められた速度に達した後、まず、版胴ＰＣの刷版ＰＰの全面にインキング機構からインキを供給する。この際、湿し水を供給することなくインキのみを供給するようにすれば、刷版ＰＰは全面画線部化したものである必要はない。
【００２５】
刷版ＰＰの全面にインキがほぼ均一に供給された後、ブランケット胴ＢＣを移動（トリップ）させ、そのブランケットＰＢを、版胴ＰＣの刷版ＰＰ及び前記輪転機運転のＯＮ操作に伴って走行を始めた連続紙Ｗに接触させ、刷版ＰＰの全面にほぼ均一に供給されたインキを、ブランケットＰＢの表面を介して連続紙Ｗにベタの状態で印刷する。
【００２６】
以上記載の作動のうち、紙通し後のブランケット面検査用印刷面の印刷について、図３（Ａ）、（Ｂ）乃至図５を参照してより詳細に説明する。
【００２７】
まず、輪転機運転のＯＮ操作を行う。輪転機運転のＯＮ操作により、連続紙Ｗが走行を開始するとともに、オフセット印刷ユニットＰＵの各印刷装置において、インキング機構が動作を開始し、かつ版胴ＰＣ及びブランケット胴ＢＣが回転を開始する。
【００２８】
続いて、ブランケット面検査用印刷面の印刷を促すスイッチをＯＮ操作する。
【００２９】
なお、輪転機運転のＯＮ操作に先立ってか、又はブランケット面検査用印刷面の印刷を促すスイッチをＯＮ操作するに先立ってか、のいずれかにおいて、ブランケット面検査用印刷面の印刷を行わせるオフセット印刷ユニットＰＵ又は印刷装置を予め指定し、指定したオフセット印刷ユニットＰＵ又は指定した印刷装置のみにブランケット面検査用印刷面の印刷を行わせるようにすることを可能にしてもよいことは勿論である。
【００３０】
前記ブランケット面検査用印刷面の印刷を促すスイッチのＯＮの操作時点でオフセット印刷ユニットＰＵが前記予め定めた速度に達しているときには、該当するオフセット印刷ユニットＰＵ又は印刷装置において、インキング機構のインキ供給ローラーが移動（トリップ）させられて版胴ＰＣの刷版ＰＰに接触し、当該刷版ＰＰにインキ供給を開始する。前記ブランケット面検査用印刷面の印刷を促すスイッチのＯＮの操作時点でオフセット印刷ユニットＰＵが前記予め定めた速度に達していないときには、オフセット印刷ユニットＰＵが前記予め定めた速度に達した後に、同様に刷版ＰＰにインキ供給を開始する。当該インキ供給は、少なくとも版胴ＰＣが１回転回転する時間を超えて、刷版ＰＰの全面にインキが略均一に供給されるに十分であるよう予め定められた所定の時間行われる。
【００３１】
インキ供給開始から予め定められた時間が経過後、つまり、刷版ＰＰの全面にインキがほぼ均一に供給された後、ブランケット胴ＢＣを移動（トリップ）させ、そのブランケットＰＢを、版胴ＰＣの刷版ＰＰ及び前記輪転機運転のＯＮ操作に伴って走行を始めた連続紙Ｗに接触させ、ブランケット面検査用印刷面の印刷動作が開始される。
【００３２】
各印刷装置の当該印刷作動は、
連続紙の走行方向に相前後する印刷装置のブランケットが前記連続紙に接触する位置の間隔Ｐmn、
ブランケットＰＢを備えたブランケット胴ＢＣの周面長Ｌb、
前記相前後する印刷装置によるベタの印刷部の長さＬi、
当該ベタの印刷部の相互の間に設ける空白部の長さＬw、
連続紙Ｗの走行方向に相前後する印刷装置の走行方向の上流側に位置する印刷装置の、印刷動作時のブランケット胴ＢＣにおけるブランケットＰＢと刷版ＰＰとが接触する位置からブランケットＰＢと連続紙Ｗとが接触する位置までの回転方向に沿った周面長Ｌm、
連続紙Ｗの走行方向に相前後する印刷装置の走行方向の下流側に位置する印刷装置の、印刷動作時のブランケット胴ＢＣにおけるブランケットＰＢと刷版ＰＰとが接触する位置からブランケットＰＢと連続紙Ｗとが接触する位置までの回転方向に沿った周面長Ｌn、
及び前記予め定めた輪転機の動作速度Ｓ
に基づいて行わせる。
【００３３】
すなわち、
(i)連続紙Ｗの走行方向に相前後する印刷装置のブランケットＰＢが前記連続紙Ｗに接触する位置の間隔であるＰmnと、
(ii)連続紙Ｗの走行方向に相前後する印刷装置の走行方向の上流側に位置する印刷装置の、印刷動作時のブランケット胴ＢＣにおけるブランケットＰＢと刷版ＰＰとが接触する位置からブランケットＰＢと連続紙Ｗとが接触する位置までの回転方向に沿った周面長、すなわち上流側に位置する印刷装置の刷版ＰＰからインキ供給されたブランケットＰＢの表面部分が連続紙Ｗと接触する位置迄回転する間に連続紙Ｗが走行する長さであるＬmと、
(iii)連続紙Ｗの走行方向に相前後する印刷装置の走行方向の下流側に位置する印刷装置の、印刷動作時のブランケット胴ＢＣにおけるブランケットＰＢと刷版ＰＰとが接触する位置からブランケットＰＢと連続紙Ｗと接触する位置までの回転方向に沿った周面長Ｌn、すなわち下流側に位置する印刷装置の刷版ＰＰからインキ供給されたブランケットＰＢの表面部分が連続紙Ｗと接触する位置迄回転する間に連続紙Ｗが走行する長さであるＬnと
から、連続紙Ｗの走行方向に相前後する印刷装置が、同時にそれぞれのブランケット胴ＢＣを移動（トリップ）させてブランケット面検査用印刷面の印刷を開始したと仮定した場合の、両印刷装置が印刷するベタの印刷部の間に生じる未印刷部の走行方向に沿った長さ（Ｐmn＋Ｌm−Ｌn）を求めるとともに、
当該ブランケット面検査用印刷面の印刷で印刷するベタの印刷部の走行方向に沿った長さＬiと、相前後する印刷装置が印刷する２つのベタの印刷部の間に形成する空白部の走行方向に沿った長さＬwとの和（Ｌi＋Ｌw）を求め、
求めた双方の値を比較し、
前者の値が小さいときには、相前後する印刷装置が印刷する２つのベタ状態の印刷部に重なりが生じないように、下流側の印刷装置によるブランケット面検査用印刷面の印刷を、上流側の印刷装置によるブランケット面検査用印刷面の印刷に先行して開始するようにし、
前者の値が大きいときには、
前記未印刷部に上流側の印刷装置で印刷するベタ状態の印刷部を印刷すべく、上流側の印刷装置によるブランケット面検査用印刷面の印刷を、下流側の印刷装置によるブランケット面検査用印刷面の印刷に先行して開始するようにし、
いずれの場合もその時間差は、前記ブランケット面検査用印刷面の印刷を行わせる予め定めた輪転機の動作速度をＳとしたときに、
|(Ｐmn＋Ｌm−Ｌn)−(Ｌi＋Ｌw)|/Ｓ
としている。
【００３４】
なお、前者の値が大きいときに、上流側の印刷装置によるブランケット面検査用印刷面の印刷と、下流側の印刷装置によるブランケット面検査用印刷面の印刷を同時に開始しても差し支えない。何故ならば、このように同時に開始した場合には、上流側の印刷装置によるベタの印刷部と下流側の印刷装置によるベタの印刷部との間の空白部の走行方向に沿った長さが増加するが、この増加する長さは、上流側の印刷装置によるブランケット面検査用印刷面の印刷を先行させて印刷した場合に、下流側の印刷装置によるブランケット面検査用印刷面の印刷が開始されるまでの間に、下流側の印刷部分を通過する未印刷の連続紙の長さと等しく、連続紙の浪費を防止する効果において差異を生じないからである。
【００３５】
また、前者と後者との値が等しいときは、上流側の印刷装置によるブランケット面検査用印刷面の印刷と下流側の印刷装置によるブランケット面検査用印刷面の印刷とを同時に開始するようにしている。
【００３６】
以上記載のブランケット面検査用印刷面の印刷について、図２に示す輪転機を例にして具体的に説明する。
【００３７】
なお、以下においては、説明を解りやすくするために、ブランケットＰＢを備えたブランケット胴ＢＣの周面長Ｌbを８等分した長さを基準長さＬ0とし、以下に説明するＰmn、Ｌb、Ｌi・・・などの値が当該基準長さＬ0の整数倍であるものと仮定して描かれている。なお、本発明においては当該「整数倍」であることを条件とするものではない。
【００３８】
即ち、前記連続紙の走行方向に相前後する印刷装置のブランケットの表面が前記連続紙に接触する位置の間隔Ｐmn、ブランケットＰＢを備えたブランケット胴ＢＣの周面長Ｌb、前記相前後する印刷装置によるベタの印刷部の長さＬi、当該ベタの印刷部の相互の間に設ける空白部の長さＬw、連続紙の走行方向に相前後する印刷装置の走行方向の上流側に位置する印刷装置の、印刷動作時のブランケット胴ＢＣにおけるブランケットＰＢと刷版ＰＰとが接触する位置からブランケットＰＢと連続紙Ｗとが接触する位置までの回転方向に沿った周面長Ｌm、連続紙の走行経路で相前後する印刷装置の走行方向の下流側に位置する印刷装置の、印刷動作時のブランケット胴ＢＣにおけるブランケットＰＢと刷版ＰＰとが接触する位置からブランケットＰＢと連続紙Ｗとが接触する位置までの回転方向に沿った周面長Ｌnを夫々基準長さＬ0の整数倍として描いている。また前記予め定めた輪転機の動作速度Ｓとして、単位時間（１秒）当りの動作距離が基準長さＬ0であるとしている。
【００３９】
すなわち、ＨタイプユニットＨＰにおいては、
（i)連続紙ＨＷの走行方向に相前後する第１印刷装置ＨＰ１と第２印刷装置ＨＰ２とのそれぞれのブランケットＰＢの表面が連続紙ＨＷに接触する位置の間隔ＨＰ12(即ちＰmn（Ｐ12）)を基準長さＬ0の５倍、第２印刷装置ＨＰ２と第３印刷装置ＨＰ３とのそれぞれのブランケットＰＢの表面が連続紙ＨＷに接触する位置の間隔ＨＰ２３(即ちＰmn（Ｐ23）)を基準長さＬ0の１４倍、第３印刷装置ＨＰ３と第４印刷装置ＨＰ４とのそれぞれのブランケットＰＢの表面が連続紙ＨＷに接触する位置の間隔ＨＰ３４(即ちＰmn（Ｐ34）)を基準長さＬ0の５倍と仮定し、
（ii)さらに、印刷装置によるベタの印刷部ＨＢ１、ＨＢ２、ＨＢ３、ＨＢ４の長さＬiを基準長さＬ0の８倍（つまり、ブランケットＰＢを備えたブランケット胴ＢＣの周面長Ｌbと等しい長さ）、
（iii)当該ベタの印刷部ＨＢ１、ＨＢ２、ＨＢ３、ＨＢ４の相互の間に設ける空白部の長さＬwを基準長さＬ0、
（iv)第１印刷装置ＨＰ１の、印刷動作時のブランケット胴ＢＣにおけるブランケットＰＢと刷版ＰＰとが接触する位置からブランケットＰＢと連続紙ＨＷとが接触する位置までの回転方向に沿った周面長ＨＬ1(即ちＬm（Ｌ1）)を基準長さＬ0の３倍、
（v)第２印刷装置ＨＰ２の、印刷作動時のブランケット胴ＢＣにおけるブランケットＰＢと刷版ＰＰとが接触する位置からブランケットＰＢと連続紙ＨＷとが接触する位置までの回転方向に沿った周面長ＨＬ2(即ちＬn（Ｌ2）)をＬ0の５倍、
（vi)第３印刷装置ＨＰ３の、印刷作動時のブランケット胴ＢＣにおけるブランケットＰＢと刷版ＰＰとが接触する位置からブランケットＰＢと連続紙ＨＷとが接触する位置までの回転方向に沿った周面長ＨＬ3(即ちＬm（Ｌ3）)を基準長さＬ0の３倍、
（vii)第４印刷装置ＨＰ４の、印刷作動時のブランケット胴ＢＣにおけるブランケットＰＢと刷版ＰＰとが接触する位置からブランケットＰＢと連続紙ＨＷとが接触する位置までの回転方向に沿った周面長ＨＬ4(即ちＬn（Ｌ4）)をＬ0の５倍、
（viii)輪転機の単位時間（１秒）当りの動作距離（すなわち動作速度Ｓ）を基準長さＬ0
と仮定して描いている。
【００４０】
また、アーチタイプユニットＡＰにおいては、
（i)連続紙の走行方向に相前後する第１印刷装置ＡＰ１と第２印刷装置ＡＰ２とのそれぞれのブランケットＰＢの表面が連続紙ＡＷに接触する位置の間隔ＡＰ１２(即ちＰｍn（Ｐ12）)、第２印刷装置ＡＰ２と第３印刷装置ＡＰ３のそれぞれのブランケットＰＢの表面が連続紙ＡＷに接触する位置の間隔ＡＰ23(即ちＰｍn（Ｐ23）)及び第３印刷装置ＡＰ３と第４印刷装置ＡＰ４のそれぞれのブランケットＰＢの表面が連続紙ＡＷに接触する位置の間隔ＡＰ34(即ちＰｍn（Ｐ34）)を、いずれも基準長さＬ0の８倍と仮定し、
（ii）さらに、各印刷装置ＡＰ１、ＡＰ２、ＡＰ３、ＡＰ４によるベタの印刷部ＡＢ１、ＡＢ２、ＡＢ３、ＡＢ４の長さＬiを基準長さＬ0の８倍（つまり、ブランケットＰＢを備えたブランケット胴ＢＣの周面長Ｌbと等しい長さ）、
（iii）当該ベタの印刷部ＡＢ１、ＡＢ２、ＡＢ３、ＡＢ４の相互の間に設ける空白部の長さＬwを基準長さＬ0、
（iv)第１印刷装置ＡＰ１の、印刷作動時のブランケット胴ＢＣにおけるブランケットＰＢと刷版ＰＰとが接触する位置からブランケットＰＢと連続紙ＡＷとが接触する位置までの回転方向に沿った周面長ＡＬ1(即ちＬm(Ｌ1）)を基準長さＬ0の３倍、
（v)第２印刷装置ＡＰ２の、印刷作動時のブランケット胴ＢＣにおけるブランケットＰＢと刷版ＰＰとが接触する位置からブランケットＰＢと連続紙ＡＷとが接触する位置までの回転方向に沿った周面長ＡＬ2(即ちＬn（Ｌ2）)を基準長さＬ0の３倍、
（vi)第３印刷装置ＡＰ３の、印刷作動時のブランケット胴ＢＣにおけるブランケットＰＢと刷版ＰＰとが接触する位置からブランケットＰＢと連続紙ＡＷとが接触する位置までの回転方向に沿った周面長ＡＬ3(即ちＬm(Ｌ3）)を基準長さＬ0の３倍、
（vii)第４印刷装置ＡＰ４の、印刷作動時のブランケット胴ＢＣにおけるブランケットＰＢと刷版ＰＰとが接触する位置からブランケットＰＢと連続紙ＡＷとが接触する位置までの回転方向に沿った周面長ＡＬ4(即ちＬn（Ｌ4）)を、基準長さＬ0の３倍、
（viii) 単位時間（１秒）当りの動作距離Ｓ（すなわち動作速度）を基準長さＬ0
と仮定している。
【００４１】
なお、ブランケットＰＢの印刷媒介面全体の状態をベタの印刷部で検査するためには、ブランケットＰＢの印刷媒介面全体によるベタの印刷部を検査する必要があるから、上記において、ベタの印刷部の長さＬiをブランケットＰＢを備えたブランケット胴ＢＣの周面長Ｌbと等しい長さに定めているが、このようにした場合には、当該ブランケット胴ＢＣの周面長Ｌbと等しい長さのベタの印刷部の長さＬiが、ブランケット面検査用印刷面としての最小値であることは、容易に理解できよう。
【００４２】
図３(A)から判る如く、タイプユニットＨＰによれば、第２印刷装置ＨＰ２が、第１印刷装置ＨＰ１よりも６秒だけ早く、第３印刷装置ＨＰ３よりも７秒だけ早く、ブランケット面検査用印刷面の印刷の印刷動作を開始し、第４印刷装置ＨＰ４が、第３印刷装置ＨＰ３よりも６秒だけ早く、ブランケット面検査用印刷面の印刷の印刷動作を開始し、第１印刷装置ＨＰ１及び第３印刷装置ＨＰ３では印刷動作開始の１１秒後に、第２印刷装置ＨＰ２及び第４印刷装置ＨＰ４では印刷動作開始の１３秒後に、それぞれ印刷動作を終了する。
【００４３】
図３（Ａ）及び図４を参照して説明すれば、輪転機運転のＯＮ操作によるオフセット印刷ユニットＰＵが予め定めた速度になった状態にあることと、ブランケット面検査用印刷面の印刷を促すスイッチがＯＮ操作になったこととのＡＮＤ条件下で、インキ供給機構による刷版ＰＰへのインキ供給動作が開始される。
【００４４】
刷版ＰＰへのインキ供給動作が開始されてから所定時間経過後、すなわち、図３（Ａ）、図４の印刷動作時間０秒時点で、まず第２印刷装置ＨＰ２が印刷動作を開始し、印刷動作時のブランケット胴ＢＣにおけるブランケットＰＢと刷版ＰＰとが接触する位置からブランケットＰＢと連続紙ＨＷとが接触する位置までの回転方向に沿った周面長ＨＬ2だけ回転した後、つまり印刷動作開始の５秒後から、８秒間にわたってベタの印刷部ＨＢ２が印刷され、第２印刷装置ＨＰ２による印刷動作が終了する。第２印刷装置ＨＰ２による印刷動作の終了とともに、第２印刷装置ＨＰ２におけるインキ供給動作も終了する。
【００４５】
第２印刷装置ＨＰ２による印刷動作の開始の１秒後に、第４印刷装置ＨＰ４が印刷動作を開始し、印刷動作時のブランケット胴ＢＣにおけるブランケットＰＢと刷版ＰＰとが接触する位置からブランケットＰＢと連続紙ＨＷとが接触する位置までの回転方向に沿った周面長ＨＬ4だけ回転した後、つまり印刷動作開始の５秒後から、８秒間にわたってベタの印刷部ＨＢ４が印刷され、第４印刷装置ＨＰ４による印刷動作が終了する。第４印刷装置ＨＰ４による印刷動作の終了とともに、第４印刷装置ＨＰ４におけるインキ供給動作も終了する。
【００４６】
次いで、第２印刷装置ＨＰ２による印刷動作の開始の６秒後に、第１印刷装置ＨＰ１が印刷動作を開始し、印刷動作時のブランケット胴ＢＣにおけるブランケットＰＢと刷版ＰＰとが接触する位置からブランケットＰＢと連続紙ＨＷとが接触する位置までの回転方向に沿った周面長ＨＬ1だけ回転した後、つまり印刷動作開始の３秒後から、８秒間にわたってベタの印刷部ＨＢ１が印刷され、第１印刷装置ＨＰ１による印刷動作が終了する。第１印刷装置ＨＰ１による印刷動作の終了とともに、第１印刷装置ＨＰ１におけるインキ供給動作も終了する。
【００４７】
最後に、第２印刷装置ＨＰ２による印刷動作の開始の７秒後に、第３印刷装置ＨＰ３が印刷動作を開始し、印刷動作時のブランケット胴ＢＣにおけるブランケットＰＢと刷版ＰＰとが接触する位置からブランケットＰＢと連続紙ＨＷとが接触する位置までの回転方向に沿った周面長ＨＬ3だけ回転した後、つまり印刷動作開始の３秒後から、８秒間にわたってベタの印刷部ＨＢ３が印刷され、第３印刷装置ＨＰ３による印刷動作が終了する。第３印刷装置ＨＰ３による印刷動作の終了とともに、第３印刷装置ＨＰ３におけるインキ供給動作も終了する。
【００４８】
前記の通り第２印刷装置ＨＰ２の印刷動作開始から第３印刷装置ＨＰ３が印刷動作を終了するまで、１８秒を費やして印刷動作が終了する。第１印刷装置ＨＰ１乃至第４印刷装置ＨＰ４が印刷動作を終了した後、第１印刷装置ＨＰ１によって印刷されたベタ状態の印刷部ＨＢ１が第４印刷装置ＨＰ４を通過するまで連続紙ＨＷが送り出され、その後、第１印刷装置ＨＰ１乃至第４印刷装置ＨＰ４において、再度それぞれのブランケット胴ＢＣが、そのブランケットＰＢを刷版ＰＰと連続紙ＨＷとに接触するよう一斉に移動（トリップ）され、版胴ＰＰ及びブランケットＰＢに残留するインキを連続紙ＨＷによって取去るべくインキ除去の印刷が行われる。なお、当該インキ除去の印刷において、インキ供給機構がインキ供給動作をしないのは勿論である。
【００４９】
また、図３（B）から判る如く、アーチタイプユニットＡＰにおいては、ブランケット面検査用印刷面の印刷が以下のように行われる。すなわち、アーチタイプユニットＡＰによれば、第４印刷装置ＡＰ４が、第３印刷装置ＡＰ３よりも１秒だけ早く、第３印刷装置ＡＰ３が、第２印刷装置ＡＰ２よりも１秒だけ早く、第２印刷装置ＡＰ２が、第１印刷装置ＡＰ１よりも１秒だけ早く、それぞれブランケット面検査用印刷面の印刷の印刷動作を開始し、第１印刷装置ＡＰ１乃至第４印刷装置ＡＰ４のいずれにおいても、印刷動作開始の１１秒後に、それぞれ印刷動作を終了する。
【００５０】
図３（B）及び図５を参照して説明すれば、輪転機運転のＯＮ操作によるオフセット印刷ユニットＰＵが予め定めた速度になった状態であることと、ブランケット面検査用印刷面の印刷を促すスイッチがＯＮになったこととのＡＮＤ条件下で、インキ供給機構による刷版ＰＰへのインキ供給動作が開始される。
【００５１】
刷版ＰＰへのインキ供給動作が開始されてから所定時間経過後、すなわち、図３（B）、図５の印刷動作時間０秒時点で、まず第４印刷装置ＡＰ４が印刷動作を開始し、印刷動作時のブランケット胴ＢＣにおけるブランケットＰＢと刷版ＰＰとが接触する位置からブランケットＰＢと連続紙ＡＷとが接触する位置までの回転方向に沿った周面長ＡＬ4だけ回転した後、つまり印刷動作開始の３秒後から、８秒間にわたってベタの印刷部ＡＢ４が印刷され、第４印刷装置ＡＰ４による印刷動作が終了する。第４印刷装置ＡＰ４による印刷動作の終了とともに、第４印刷装置ＡＰ４におけるインキ供給動作も終了する。
【００５２】
第４印刷装置ＡＰ４による印刷動作の開始の１秒後に、第３印刷装置ＡＰ３が印刷動作を開始し、印刷動作時のブランケット胴ＢＣにおけるブランケットＰＢと刷版ＰＰとが接触する位置からブランケットＰＢと連続紙ＡＷとが接触する位置までの回転方向に沿った周面長ＡＬ3だけ回転した後、つまり印刷動作開始の３秒後から、８秒間にわたってベタの印刷部ＡＢ３が印刷され、第３印刷装置ＡＰ３による印刷動作が終了する。第３印刷装置ＡＰ３による印刷動作の終了とともに、第３印刷装置ＡＰ３におけるインキ供給動作も終了する。
【００５３】
次いで、第４印刷装置ＡＰ４による印刷動作の開始の２秒後に、第２印刷装置ＡＰ２が印刷動作を開始し、印刷動作時のブランケット胴ＢＣにおけるブランケットＰＢと刷版ＰＰとが接触する位置からブランケットＰＢと連続紙ＡＷとが接触する位置までの回転方向に沿った周面長ＡＬ2だけ回転した後、つまり印刷動作開始の３秒後から、８秒間にわたってベタの印刷部ＡＢ２が印刷され、第２印刷装置ＡＰ２による印刷動作が終了する。第２印刷装置ＡＰ２による印刷動作の終了とともに、第２印刷装置ＡＰ２におけるインキ供給動作も終了する。
【００５４】
最後に、第４印刷装置ＡＰ４による印刷動作の開始の３秒後に、第１印刷装置ＡＰ１が印刷動作を開始し、印刷動作時のブランケット胴ＢＣにおけるブランケットＰＢと刷版ＰＰとが接触する位置からブランケットＰＢと連続紙ＡＷとが接触する位置までの回転方向に沿った周面長ＡＬ1だけ回転した後、つまり印刷動作開始の３秒後から、８秒間にわたってベタの印刷部ＡＢ１が印刷され、第１印刷装置ＡＰ１による印刷動作が終了する。第１印刷装置ＡＰ１による印刷動作の終了とともに、第１印刷装置ＡＰ１におけるインキ供給動作も終了する。
【００５５】
前記の通り第１印刷装置ＡＰ１乃至第４印刷装置ＡＰ４が印刷動作を終了した後、第１印刷装置ＡＰ１によって印刷されたベタ状態の印刷部ＡＢ１が第４印刷手段ＡＰ４を通過するまで連続紙ＡＷが送り出され、その後、第１印刷装置ＡＰ１乃至第４印刷装置ＡＰ４において、それぞれブランケット胴ＢＣを、そのブランケットＰＢが刷版ＰＰと連続紙ＡＷに接触するよう一斉に移動（トリップ）され、版胴ＰＰ及びブランケットＰＢに残留するインキを連続紙ＡＷによって取去るべくインキ除去印刷が行われる。なお、当該インキ除去印刷において、インキ供給機構がインキ供給動作をしないのは勿論である。
【図面の簡単な説明】
【００５６】
【図１】この発明の原理的構成を説明する図である。
【図２】この発明に係る方法にてブランケット面検査用印刷面の印刷を行うように自動運転する制御装置を備えたオフセット輪転機の概略構成図である。
【図３Ａ】図３（A)と図３（B)とは上下に一体となって存在する図であって、図２に示したオフセット輪転機にブランケット面検査用印刷面の印刷を自動運転させたときのタイムチャートで、塗りつぶしにより各胴がベタの印刷部を印刷するタイミングを示した図である。
【図３Ｂ】図３（A)と図３（B)とは上下に一体となって存在する図であって、図２に示したオフセット輪転機にブランケット面検査用印刷面の印刷を自動運転させたときのタイムチャートで、塗りつぶしにより各胴がベタの印刷部を印刷するタイミングを示した図である。
【図４】図２に示した輪転機の２基の印刷ユニットのうち、ＨタイプユニットＨＰにおいて、『紙の進行方向』に連続する連続紙ＨＷに、図３（Ａ）のタイムチャート中に示す印刷動作時間０乃至１８秒の間に、各胴で行われるブランケット面検査用印刷面の印刷状況を示し、連続紙ＨＷの表面にベタの印刷部ＨＢ１、ＨＢ２、ＨＢ３、ＨＢ４が印刷される状態を、図中右側から左側に１秒経過ごとに示す模式図である。
【図５】図２に示した輪転機の２基の印刷ユニットのうち、アーチタイプユニットＡＰにおいて、『紙の進行方向』に連続する連続紙ＡＷに、図３（Ｂ）のタイムチャート中に示す印刷動作時間０乃至１８秒の間に、各胴で行われるブランケット面検査用印刷面の印刷状況を示し、連続紙ＡＷの表面にベタの印刷部ＡＢ１、ＡＢ２、ＡＢ３、ＡＢ４が印刷される状態を、図中右側から左側に１秒経過ごとに示す模式図である。
【符号の説明】
【００５７】
ＲＰ：輪転機
ＳＵ：給紙ユニット
ＰＵ：オフセット印刷ユニット
ＨＰ：Ｈタイプユニット（オフセット印刷ユニット）  
ＡＰ：アーチタイプユニット（オフセット印刷ユニット）
Ｐ１、ＨＰ１、ＡＰ１：第１印刷装置
Ｐ２、ＨＰ２、ＡＰ２：第２印刷装置
Ｐ３、ＨＰ３、ＡＰ３：第３印刷装置
Ｐ４、ＨＰ４、ＡＰ４：第４印刷装置
ＰＣ：版胴
ＰＰ：刷版
ＢＣ：ブランケット胴
ＰＢ：ブランケット
ＦＵ：折ユニット
ＣＰ：制御装置
Ｗ、ＨＷ、ＡＷ：連続紙
ＨＢ１：第１印刷装置ＨＰ１によるベタ状態印刷部
ＨＢ２：第２印刷装置ＨＰ２によるベタ状態印刷部
ＨＢ３：第３印刷装置ＨＰ３によるベタ状態印刷部
ＨＢ４：第４印刷装置ＨＰ４によるベタ状態印刷部
ＡＢ１：第１印刷装置ＡＰ１によるベタ状態印刷部
ＡＢ２：第２印刷装置ＡＰ２によるベタ状態印刷部
ＡＢ３：第３印刷装置ＡＰ３によるベタ状態印刷部
ＡＢ４：第４印刷装置ＡＰ４によるベタ状態印刷部
Ｐmn：連続紙の走行方向に相前後する印刷装置のブランケット面が前記連続紙に接触する位置の間隔
Ｐ１２、ＨＰ１２、ＡＰ１２：連続紙の走行方向に相前後する第１印刷装置と第２印刷装置のそれぞれのブランケットＰＢの面が連続紙Ｗに接触する位置の間隔
Ｐ２３、ＨＰ２３、ＡＰ２３：第２印刷装置と第３印刷装置のそれぞれのブランケットＰＢの面が連続紙Ｗ に接触する位置の間隔  
Ｐ３４、ＨＰ３４、ＡＰ３４：第３印刷装置と第４印刷装置のそれぞれのブランケットＰＢの面が連続紙Ｗに接触する位置の間隔  
Ｌb：ブランケットＰＢを備えたブランケット胴ＢＣの周面長  
Ｌi：相前後する印刷装置による全面ベタの印刷部の長さ
Ｌw：全面ベタの印刷部の相互の間に設ける空白部の長さ  
Ｌm：連続紙の走行方向に相前後する印刷装置の走行方向の上流側に位置する印刷装置の、印刷動作時のブランケット胴ＢＣにおけるブランケットＰＢと刷版ＰＰとが接触する位置からブランケットＰＢと連続紙Ｗとが接触する位置までの回転方向に沿った周面長（上流側に位置する印刷装置の刷版ＰＰからインキ供給されたブランケットＰＢの表面部分が連続紙Ｗと接触する位置迄回転する間に連続紙Ｗが走行する長さ）
Ｌn：連続紙の走行経路で相前後する印刷装置の走行方向の下流側に位置する印刷装置の、印刷動作時のブランケット胴ＢＣにおけるブランケットＰＢと刷版ＰＰとが接触する位置からブランケットＰＢと連続紙Ｗとが接触する位置までの回転方向に沿った周面長（下流側に位置する印刷装置の刷版ＰＰからインキ供給されたブランケットＰＢの表面部分が連続紙Ｗと接触する位置迄回転する間に連続紙Ｗが走行する長さ）
Ｌ1、ＨＬ1、ＡＬ1：第１印刷装置の、印刷動作時のブランケット胴ＢＣにおけるブランケットＰＢと刷版ＰＰとが接触する位置からブランケットＰＢと連続紙Ｗとが接触する位置までの回転方向に沿った周面長
Ｌ2、ＨＬ2、ＡＬ2：第２印刷装置の、印刷作動時のブランケット胴ＢＣにおけるブランケットＰＢと刷版ＰＰとが接触する位置からブランケットＰＢと連続紙Ｗとが接触する位置までの回転方向に沿った周面長
Ｌ3、ＨＬ3、ＡＬ3：第３印刷装置の、印刷作動時のブランケット胴ＢＣにおけるブランケットＰＢと刷版ＰＰとが接触する位置からブランケットＰＢと連続紙Ｗとが接触する位置までの回転方向に沿った周面長
Ｌ4、ＨＬ4、ＡＬ4：第４印刷装置の、印刷動作時のブランケット胴ＢＣにおけるブランケットＰＢと刷版ＰＰとが接触する位置からブランケットＰＢと連続紙Ｗとが接触する位置までの回転方向に沿った周面長
Ｓ：ブランケット面検査用印刷面の印刷を行わせる予め定めた輪転機の動作速度
Ｌ0：ブランケットＰＢを備えたブランケット胴ＢＣの周面長Ｌbを８等分した長さ（基準長さ）
【図１】
0004537432.tif 000002
【図２】
0004537432.tif 000003
【図３Ａ】
0004537432.tif 000004
【図３Ｂ】
0004537432.tif 000005
【図４】
0004537432.tif 000006
【図５】
0004537432.tif 000007